(57)【要約】【課題】多分割の測光が可能なものにおいて、多分割のメリットを生かしつつも、測光データのＳ／Ｎ比の悪化による露出の不適正化を抑制する。【課題手段】撮影画面内の測光領域を複数の領域に分割して測光を行う第１の分割測光、および測光領域を前記第１の分割測光における分割数よりも少ない分割数に分割して測光を行う第２の分割測光とが可能な測光手段を有し、被写体輝度が第１の所定値以上の場合には、第１の分割測光による測光データＢＶ（２５）を用いて露出制御値を演算し、被写体輝度が第１の所定値よりも小さい第２の所定値以下の場合には、第２の分割測光による測光データＢＶ（３）を用いて露出制御値を演算し、被写体輝度が第１の所定値未満で、かつ第２の所定値を超える場合には、第１の分割測光による測光データおよび第２の分割測光による測光データＢＶ（２５），ＢＶ（３）の双方を用いて露出制御値を演算する。【選択図】        図７
2004325586.tif 000002
【特許請求の範囲】
【請求項１】
撮影画面内の測光領域を複数の領域に分割して測光を行う第１の分割測光、および前記測光領域を前記第１の分割測光における分割数よりも少ない分割数に分割して測光を行う第２の分割測光とが可能な測光手段と、
被写体輝度が第１の所定値以上の場合には、前記第１の分割測光による測光データを用いて露出制御値を演算し、前記被写体輝度が前記該第１の所定値よりも小さい第２の所定値以下の場合には、前記第２の分割測光による測光データを用いて露出制御値を演算し、前記被写体輝度が前記第１の所定値未満で、かつ前記第２の所定値を超える場合には、前記第１の分割測光による測光データおよび前記第２の分割測光による測光データの双方を用いて露出制御値を演算する露出演算手段とを具備することを特徴とするカメラ。
【請求項２】
前記露出演算手段は、前記被写体輝度が前記第１の所定値未満で、かつ前記第２の所定値を超える場合には、該被写体輝度が前記第１の所定値に近いほど前記第１の分割測光による測光データの寄与率を高くし、被写体輝度が前記第２の所定値に近いほど前記第２の分割測光による測光データの寄与率を高くして前記露出制御値を演算することを特徴とする請求項１に記載のカメラ。
【請求項３】
前記露出演算手段は、前記第１，第２の分割測光データの双方を取得し、その後に前記露出制御値演算に使用すべき分割測光データを前記被写体輝度に基づいて決定することを特徴とする請求項１または２に記載のカメラ。
【請求項４】
撮影画面内の測光領域を複数の領域に分割して測光を行う第１の分割測光、および前記測光領域を前記第１の分割測光における分割数よりも少ない分割数に分割して測光を行う第２の分割測光とが可能な測光手段と、
被写体輝度が所定値以上の場合には、前記第１の分割測光による測光データを用いて露出制御値を演算し、前記被写体輝度が前記所定値未満の場合には、前記第２の分割測光による測光データを用いて露出制御値を演算する露出演算手段とを具備することを特徴とするカメラ。
【請求項５】
撮影画面内の測光領域を複数の領域に分割して測光を行う第１の分割測光、および前記測光領域を前記第１の分割測光における分割数よりも少ない分割数に分割して測光を行う第２の分割測光とが可能な測光手段と、
前記第１の分割測光による測光データおよび前記第２の分割測光による測光データに基づいて露出制御値を演算する露出演算手段とを備え、
該露出演算手段は、被写体輝度が高いほど前記第１の測光データの寄与率を高くし、被写体輝度が低いほど前記第２の測光データの寄与率を高くして前記露出制御値を演算することを特徴とするカメラ。
【請求項６】
前記被写体輝度は、前記第１または第２の分割測光における前記複数領域の測光データのうちの最小値であることを特徴とする請求項１〜５のいずれかに記載のカメラ。
【請求項７】
前記露出演算手段は、前記第２の分割測光を複数回行った結果に基づいて前記露出制御値演算に用いる分割測光データを求め、第１の分割測光については第２の分割測光よりも少ない回数の測光結果に基づいて露出制御値演算に用いる分割測光データを求めることを特徴とする請求項１〜６のいずれかに記載のカメラ。
【請求項８】
撮影画面内の測光領域を複数の領域に分割して分割測光を行うカメラにおいて、
前記分割測光における分割数を可変とし、被写体輝度が高いほど多分割の測光データを用いて露出制御値を演算することを特徴とするカメラ。
【発明の詳細な説明】
【０００１】
【発明の属する技術分野】
本発明は、分割測光データに基づいて露出制御値を演算するカメラに関する。
【０００２】
【従来の技術】
撮影画面を複数の領域に分割し、それら複数の分割領域を独立に測光する分割測光が可能なカメラが知られている（例えば、特許文献１参照）。かかるカメラは、分割測光データに基づいて被写体の輝度パターンを推定し、そのパターンに適した露出演算方法を複数の候補の中から選択し、その演算方法で演算した露出制御値に基づいて絞りやシャッタを制御する。例えば、複数の分割領域の輝度値のうちの最高輝度が高く、他の領域との輝度差が大きい場合には、高輝度領域に太陽が含まれるシーンであると判断し、低輝度を重視した露出演算を行うことで露出アンダーを防止する。
【０００３】
【特許文献１】
特開平５−８７６３１号公報
【特許文献２】
特公平５−５３３７１号公報
【０００４】
【発明が解決しようとする課題】
上記のような露出演算では、一般に分割測光における分割数が多いほど被写界の輝度分布が詳細に分かり、多種多様なパターンにおいて適正露出が得られ易くなる。しかし、分割数を増やすと個々の分割領域が狭くなり、その分個々の測光信号が小さくなるため、Ｓ／Ｎ比の悪化をもたらす。被写界が明るければ問題はないが、暗いときにはもともと測光出力が小さいため、分割数が多いとＳ／Ｎ比の悪化が無視できなくなり、適正露出が得られなくなる可能性がある。
【０００５】
本発明の目的は、多分割の測光が可能なものにおいて、多分割のメリットを生かしつつも、測光データのＳ／Ｎ比の悪化による露出の不適正化を抑制したカメラを提供することにある。
【０００６】
【課題を解決するための手段】
請求項１の発明は、撮影画面内の測光領域を複数の領域に分割して測光を行う第１の分割測光、および前記測光領域を前記第１の分割測光における分割数よりも少ない分割数に分割して測光を行う第２の分割測光とが可能な測光手段と、被写体輝度が第１の所定値以上の場合には、第１の分割測光による測光データを用いて露出制御値を演算し、被写体輝度が第１の所定値よりも小さい第２の所定値以下の場合には、第２の分割測光による測光データを用いて露出制御値を演算し、被写体輝度が第１の所定値未満で、かつ第２の所定値を超える場合には、第１の分割測光による測光データおよび第２の分割測光による測光データの双方を用いて露出制御値を演算する露出演算手段とを具備する。
特に請求項２の発明は、被写体輝度が第１の所定値未満で、かつ第２の所定値を超える場合には、被写体輝度が第１の所定値に近いほど第１の分割測光による測光データの寄与率を高くし、被写体輝度が第２の所定値に近いほど第２の分割測光による測光データの寄与率を高くして露出制御値を演算するようにしたものである。
請求項３の発明は、第１，第２の分割測光データの双方を取得し、その後に露出制御値演算に使用すべき分割測光データを被写体輝度に基づいて決定するようにしたものである。
請求項４の発明は、請求項１と同様の測光手段と、被写体輝度が所定値以上の場合には、第１の分割測光による測光データを用いて露出制御値を演算し、被写体輝度が所定値未満の場合には、第２の分割測光による測光データを用いて露出制御値を演算する露出演算手段とを具備する。
請求項５の発明は、請求項１と同様の測光手段と、第１の分割測光による測光データおよび第２の分割測光による測光データに基づいて露出制御値を演算する露出演算手段とを備える。露出演算手段は、被写体輝度が高いほど第１の測光データの寄与率を高くし、被写体輝度が低いほど第２の測光データの寄与率を高くして露出制御値を演算する。
請求項６の発明は、上記被写体輝度として、第１または第２の分割測光における複数領域の測光データのうちの最小値を用いたものである。
請求項７の発明は、第２の分割測光を複数回行った結果に基づいて露出制御値演算に用いる分割測光データを求め、第１の分割測光については第２の分割測光よりも少ない回数の測光結果に基づいて露出制御値演算に用いる分割測光データを求めるようにしたものである。
請求項８の発明は、撮影画面内の測光領域を複数の領域に分割して分割測光を行うカメラ適用され、分割測光における分割数を可変とし、被写体輝度が高いほど多分割の測光データを用いて露出制御値を演算するものである。
【０００７】
【発明の実施の形態】
図１〜図８により本発明の一実施の形態を説明する。
図１は本実施形態におけるカメラの概略ブロック図であり、露出制御関連部分のみを示している。測光部１は、例えばＳＰＤ（シリコン・フォト・ダイオード）等の測光用受光素子を有し、後述する手法を用いて被写界を分割測光する。演算部はマイクロプロセッサ等から成り、測光部１から出力された分割測光データに基づいて露出制御値を演算する。制御部３は、その露出制御値に基づいて絞り４，シャッタ５，ミラー６等の撮影動作部材を駆動する駆動機構である。
なお、カメラは銀塩フィルムを扱うものであってもよいし、撮像素子を持つ電子カメラであってもよい。また一眼レフタイプのカメラでもよいし、レンズシャッタカメラでもよい。
【０００８】
図２は測光用受光素子の分割状態を撮影画面に照らし合わせて示したものである。本実施形態では、測光用受光素子を図２（ａ）に示すように２５分割しており、各分割素子の出力を独立に取り出すことで、撮影画面のほぼ全体をＬ１〜Ｌ８，Ｃ１〜Ｃ９，Ｒ１〜Ｒ８の２５領域に分割した２５分割測光が可能となる。一方、Ｌ１〜Ｌ８，Ｃ１〜Ｃ９，Ｒ１〜Ｒ８に対応する受光素子の出力をそれぞれ同時に取り出すことで、図２（ｂ）に示すように被写界をＬａｄｄ，Ｃａｄｄ，Ｒａｄｄの３領域に分割した３分割測光が可能となる。
ここで、一般的には２５分割測光の方が３分割測光よりも被写界の輝度分布が詳細に分かるため、各測光データの信頼性が高ければ適正露出が得られ易い。
【０００９】
図３は測光用受光素子を模式的に示したもので、ａは各分割領域に対応する２５個の分割素子を、Ａｍｐは増幅器を示す。分割素子の光電変換出力は増幅器Ａｍｐで増幅され、測光データ（輝度）として出力される。増幅の際、測光データにはノイズが重畳されるが、増幅器Ａｍｐへの入力が大きいほどＳ／Ｎ比は良くなる。図３の如く構成すれば、３分割測光のときにはＬ１〜Ｌ８（Ｃ１〜Ｃ９，Ｒ１〜Ｒ８も同様）に対する信号が合計された後に増幅されるので、個々の信号を増幅した後に合計する場合と比べて測光データのＳ／Ｎ比はよい。
【００１０】
一方、２５分割測光では、個々の信号を増幅せざるを得ないため、３分割測光と比べてＳ／Ｎ比は悪化する。特に測光データは被写界が暗いほど小さくなるから、低輝度時の２５分割測光は、測光データが小さくなる要因が重なることになり、Ｓ／Ｎ比の悪化が無視できなくなる。Ｓ／Ｎ比の悪さはデータの信頼性の低さを意味するから、そのデータを用いて露出制御値を演算すると適正露出とならない可能性がある。
【００１１】
そこで本実施形態では、図４に示すように被写体輝度に応じて露出制御値演算に用いる分割測光データを変えるようにした。ここでいう被写体輝度は、撮影画面のうち最も暗い部分の輝度であり、上記２５分割測光によって得られた２５個の測光データのうちの最小値ＢＶｍｉｎである。ＢＶ（２５）は、２５分割測光の測光データから演算される最適被写体輝度（被写体を適正露出で撮影するための輝度）であり、ＢＶ（３）は３分割測光の測光データから演算される最適被写体輝度である。ＢＶａｎｓは、最終的に決定される露出演算用の輝度値である。
【００１２】
図４において、最小輝度ＢＶｍｉｎが第１の所定値ＢＶｂ以上であれば、２５分割測光における２５個の測光データすべてが信頼できる（Ｓ／Ｎ比が良）と判断でき、ＢＶ（２５）を露出演算用の輝度値ＢＶａｎｓとする。したがって、ＢＶ（３）を用いる場合と比べて分割数が多いため適正露出が得られ易くなる。一方、ＢＶｍｉｎが第１の所定値ＢＶｂ未満の場合は、２５個の測光データの少なくとも１個は信頼性が低いことを意味し、特に最小輝度ＢＶｍｉｎが第２の所定値ＢＶａ（＜ＢＶｂ）未満のときには、多くの測光データの信頼性が低いと考えられるので、ＢＶ（３）を上記ＢＶａｎｓとする。したがって、ＢＶ（２５）を用いる場合と比べて適正露出が得られる可能性が高い。
【００１３】
また、ＢＶａ＜ＢＶｍｉｎ＜ＢＶｂのときには、ＢＶ（２５），ＢＶ（３）の双方を用いてＢＶａｎｓを演算する。その詳細は後述するが、ＢＶｍｉｎがＢＶｂに近いほどＢＶ（２５）の寄与率が高くなり、ＢＶａに近いほどＢＶ（３）の寄与率が高くなるようにする。つまり、ＢＶ（２５）の信頼性が高いほどＢＶ（２５）の重みを重くし、ＢＶ（２５）の信頼性が低いほどＢＶ（３）の重みを重くしてＢＶａｎｓを求めるので、適正露出が得られる可能性が高くなる。
ＢＶａｎｓが求まると、そのＢＶａｎｓを用いて露出制御値（絞り値，シャッタ速度）を演算し、レリーズ操作に伴って撮影を行う。
【００１４】
ここで、上記ＢＶｍｉｎの閾値であるＢＶａ，ＢＶｂは、分割数や測光用受光素子の特性（ノイズがどの程度重畳されるか）などを考慮し、実験等を行うことで最適値を決めればよい。要は増幅時等のノイズによる影響が少なければなるべく多分割の測光データを用い、ノイズによる影響が大きい場合に少分割の測光データを用いるようにすればよい。
【００１５】
上述の制御をソフト的に実現するためのフローチャートを図５〜図７に示す。
演算部２は、不図示のレリーズボタンの半押し操作に伴ってプログラムを起動し、まずステップ＃１０１で測光部１の電源を投入して回路の初期化を行う。次いでステップ＃１０２の測光データ取得サブルーチンで測光データを取得する。ステップ＃１０３の輝度値演算サブルーチンでは、取得した測光データから上記ＢＶ（２５），ＢＶ（３）を求めるとともに、ＢＶａｎｓを求める。これらステップ＃１０２，＃１０３の詳細は後述する。
【００１６】
ステップ＃１０４では、演算されたＢＶａｎｓにＩＳＯ感度等を加味して露出制御値である絞り値やシャッタ速度を演算する。その後、ステップ＃１０５でレリーズボタンが全押しされるか、ステップ＃１０７で半押しタイマーが切れるまで上記ステップ＃１０２から１０４の処理を繰り返す。レリーズボタンの全押し操作が確認されると、ステップ＃１０６で撮影動作を行う。撮影動作は、ミラーアップ動作や、絞り値およびシャッタ速度に基づいて絞り４およびシャッタ５を駆動する動作に加え、フィルムの１駒給送（銀塩カメラの場合）や画像データの生成・記録（電子カメラの場合）をも含む。なお、半押しタイマが切れると処理を終了させる。
【００１７】
図６は測光データ取得サブルーチン（ステップ＃１０２）の詳細を示し、まずステップ＃２０１で測光回数を示す変数ｎを「１」に初期化する。続くステップ＃２０２では、３分割測光による測光データを取得する。すなわち、まず図３のＬ１〜Ｌ８を同時に出力させることで、測光部１から領域Ｌａｄｄの測光データＢＶ（Ｌａｄｄ）を取得し、次にＣ１〜Ｃ９を同時に出力させてＢＶ（Ｃａｄｄ）を得る。最後にＲ１〜Ｒ９を同時に出力させてＢＶ（Ｒａｄｄ）を得る。この測光データ取得は、ステップ＃２０２〜Ｓ２０４のループにおいて４回行われ、ステップ＃２０５で４回分の平均値が求られ、その平均値が新たにＢＶ（Ｌａｄｄ），ＢＶ（Ｃａｄｄ），ＢＶ（Ｒａｄｄ）に格納される。
【００１８】
ここで、３分割測光を複数回行ってその平均をとることで、ＢＶ（Ｌａｄｄ），ＢＶ（Ｃａｄｄ），ＢＶ（Ｒａｄｄ）の信頼性が増す。例えば、蛍光灯下の撮影では、蛍光灯のフリッカーが測光に悪影響を及ぼすことがあるが、４回の測光動作の時間間隔がフリッカー周期と同一とならないようにする（例えば、２．２７ｍｓとする）ことで、上記悪影響を防止でできる。なお、測光回数は４回に限定されない。
【００１９】
次に、ステップ＃２０６で分割測光モードを２５分割測光に切換え、ステップ＃２０７で２５分割測光による測光データを取得する。すなわち、２５領域に対する測光データＢＶ（Ｌ１）〜ＢＶ（Ｌ８），ＢＶ（Ｃ１）〜ＢＶ（Ｃ９），ＢＶ（Ｒ１）〜ＢＶ（Ｒ８）を順次１つずつ取り出す。２５分割測光は、３分割測光と比べて測光データの取り出しに時間がかかるので、取り出しは１回のみとする。代わりに前回のデータとの平均をとってもよい。ステップ＃２０８では、次回の測光に備えて分割測光モードを３分割モードに切換えておく。
【００２０】
図７は輝度値演算サブルーチン（ステップ＃１０３）の詳細を示し、まずステップ＃３０１で、上記求めた３分割の平均測光データＢＶ（Ｌａｄｄ），ＢＶ（Ｃａｄｄ），ＢＶ（Ｒａｄｄ）から撮影画面全体の最適輝度値を求め、これをＢＶ（３）とする。次いでステップ＃３０２に進み、上記求めた２５領域の測光データＢＶ（Ｌ１）〜ＢＶ（Ｌ８），ＢＶ（Ｃ１）〜ＢＶ（Ｃ９），ＢＶ（Ｒ１）〜ＢＶ（Ｒ８）に基づいて最適輝度値を求め、これをＢＶ（２５）とする。
【００２１】
ここで、分割測光データに基づく最適輝度値の求め方は、従来より種々の方法が提案されている。ここでは詳述しないが、例えば特開平５−８７６３１号公報に記載されたようなニューラルネットワークを用いた方法を用いることができる。
【００２２】
次にステップ＃３０３で、最終的な輝度値ＢＶａｎｓの演算に用いる係数Ｋｔｈを図８のマップから求める。この係数Ｋｔｈは、ＢＶａｎｓを演算するにあたってのＢＶ（２５）の寄与率に相当するものであり、ＢＶｍｉｎに応じて０〜１の値をとる。ＢＶｍｉｎは、上述したように２５領域の測光データＢＶ（Ｌ１）〜ＢＶ（Ｌ８），ＢＶ（Ｃ１）〜ＢＶ（Ｃ９），ＢＶ（Ｒ１）〜ＢＶ（Ｒ８）の最小値である。
【００２３】
マップを式で表すと、
【数１】
2004325586.tif 000003
となる。
【００２４】
Ｋｔｈが決まると、ステップ＃３０４において、次式により最終的な輝度値ＢＶａｎｓを求める。
【数２】
2004325586.tif 000004
この式により、上記図４で説明した制御が実現される。
【００２５】
なお、図８のＢＶａ〜ＢＶｂにかけてＫｔｈが直線的に増加するようにしたが、高次関数的に増加させてもよい。
【００２６】
ここで、上記フローでは、ＢＶａｎｓの演算に先立って必ずＢＶ（２５）とＢＶ（３）の双方を求めている。ＢＶ（２５）については、ＢＶｍｉｎを求める必要性から必ず事前に求める必要があるが、ＢＶ（３）については、ＢＶｍｉｎ≧ＢＶｂのときは全く用いないので、ＢＶｍｉｎ＜ＢＶｂが判定されて初めてＢＶ（３）を演算するようにしてもよい。ただし、このようにすると、刻々と変化する画面輝度においてＢＶ（２５）の演算とＢＶ（３）の演算の時間的ずれが大きくなり、ＢＶａｎｓの演算に正確さを欠くという問題がある。したがって、上記のように必ず事前にＢＶ（２５）とＢＶ（３）とを続けて求めておくことが望ましい。
【００２７】
以上では、３分割と２５分割の２種類の分割モードを持つ例を示したが、３以上の分割モードを持つ場合も基本的な考え方は同じである。以下、３つの分割モードを持つ例を図９〜図１２により説明する。
【００２８】
本例では、上述した３分割測光および２５分割測光に加えて、図９のように画面をＬＳ１，ＬＳ２，ＣＳ１〜ＣＳ３，ＲＳ１，ＲＳ２の７領域に分割した７分割測光が可能とされる。測光用受光素子は図１０のように構成され、Ｌ１〜Ｌ３，Ｌ４〜Ｌ８，Ｃ１〜Ｃ３，Ｃ４〜Ｃ６，Ｃ７〜Ｃ８，Ｒ１〜Ｒ３，Ｒ４〜Ｒ８をそれぞれ同時に取り出すことで、上記７領域に応じた測光データＢＶ（ＬＳ１），ＢＶ（ＬＳ２），ＢＶ（ＣＳ１）〜ＢＶ（ＣＳ３），ＢＶ（ＲＳ１），ＢＶ（ＲＳ２）が得られる。これら７個の測光データのそれぞれは、上述したように複数回の測光データを平均した値でも良いし、１回の測光データであっても良い。７個の測光データから演算される最適輝度値はＢＶ（７）となる。
【００２９】
そして、図１１に示すようにＢＶｍｉｎに応じて露出制御値演算に用いる分割測光データを変える。すなわち、最小輝度ＢＶｍｉｎが所定値ＢＶｄ１以上であれば、ＢＶ（２５）を露出演算用の輝度値ＢＶａｎｓとする。一方、ＢＶｍｉｎが所定値ＢＶａ１以下の場合は、ＢＶ（３）をＢＶａｎｓとする。またＢＶｂ＜ＢＶｍｉｎ＜ＢＶｃの場合は、ＢＶ（７）をＢＶａｎｓとする。
【００３０】
さらにＢＶａ１＜ＢＶｍｉｎ＜ＢＶｂ１のときには、ＢＶ（７），ＢＶ（３）を用いてＢＶａｎｓを演算する。その際、ＢＶｍｉｎがＢＶｂ１に近いほどＢＶ（７）の寄与率が高くなり、ＢＶａ１に近いほどＢＶ（３）の寄与率が高くなるようにする。またＢＶｃ１＜ＢＶｍｉｎ＜ＢＶｄ１のときには、ＢＶ（２５），ＢＶ（７）を用いてＢＶａｎｓを演算する。その際、ＢＶｍｉｎがＢＶｄ１に近いほどＢＶ（２５）の寄与率が高くなり、ＢＶｃ１に近いほどＢＶ（７）の寄与率が高くなるようにする。
【００３１】
上記図１１の制御は、先の実施形態のフローチャートを一部変更することで容易に実現できる。以下、先の実施形態との相違点を説明する。
まずＢＶａｎｓの演算式には、２種類の係数Ｋｔｈ，Ｊｔｈが用いられ、これらは図１２（ａ），（ｂ）のマップから求められる。マップを数式で表すと、
【数３】
2004325586.tif 000005
となる。そして、
【数４】
2004325586.tif 000006
によりＢＶａｎｓを求める。
【００３２】
なお以上では、図４，図１１のように２種の測光データ（例えば、ＢＶ（２５）とＢＶ（３））の双方を用いてＢＶａｎｓを求める領域が存在しているが、この領域はなくてもよい。すなわち、ＢＶｍｉｎがある所定値以上であればＢＶ（２５）を用い、その所定値を下回ればＢＶ（３）を用いるといった制御でもよい。あるいは、ＢＶｍｉｎの全域に渡って２種の測光データを用いるようにし、ＢＶｍｉｎが大きい（明るい）ほど多分割の測光データの寄与率を高くするようにしてもよい。
【００３３】
また、２５分割測光の最小輝度ＢＶｍｉｎに基づいて露出演算に使用する測光データを変えるようにしたが、これはＢＶｍｉｎに限定されず、例えば３分割測光の最小輝度であってもよいし、他の方法で検出あるいは演算した輝度値であってもよい。さらに以上では、撮影画面の全体を測光領域とする例を示したが、撮影画面の一部を測光領域として、その測光領域内において分割数を変えて測光するものでもよい。また分割数は２５分割，７分割，３分割に限定されない。
【００３４】
【発明の効果】
請求項１の発明によれば、露出値演算にあたり、被写体輝度が第１の所定値以上の場合には、分割数の多い第１の分割測光による測光データを用い、第１の所定値よりも小さい第２の所定値以下の場合には、分割数の少ない第２の分割測光による測光データを用い、第１の所定値未満で、かつ第２の所定値を超える場合には、第１，第２の分割測光による測光データの双方を用いるようにしたので、被写界が明るければ多分割測光によって適正露出を得る可能性を高めることができ、また被写界が暗い場合には、Ｓ／Ｎ比の良い少分割測光によって適正露出を得る可能性を高めることができる。また、被写界が中程度の明るさのときには、双方の測光データを用いることで適正露出を得る可能性を高めることができる。
請求項４のように、双方の測光データを用いることを考慮しなくてもよい。
請求項５の発明によれば、被写体輝度が高いほど第１の測光データの寄与率を高くし、被写体輝度が低いほど第２の測光データの寄与率を高くして露出制御値を演算するようにしたので、請求項１と同様の効果が得られる。
請求項８の発明によれば、分割測光における分割数を可変とし、被写体輝度が高いほど多分割の測光データを用いて露出制御値を演算するようにしたので、請求項１と同様の効果が得られる。
【図面の簡単な説明】
【図１】一実施形態におけるカメラの制御ブロック図。
【図２】分割測光における分割例を示す図で、（ａ）が２５分割、（ｂ）が３分割をそれぞれ示す。
【図３】２５分割測光と３分割測光の双方に対応した測光用受光素子の構成を示す概略図。
【図４】最終的な輝度値ＢＶａｎｓを求めるにあたっての場合分けを示す図。
【図５】図４の場合分けを実現するためのフローチャート。
【図６】図５の測光データ取得サブルーチンの詳細を示すフローチャート。
【図７】図５の輝度値演算サブルーチンの詳細を示すフローチャート。
【図８】係数Ｋｔｈの決定に用いるマップを示す図。
【図９】分割測光における分割例を示す図で、７分割を示す。
【図１０】２５分割測光，３分割測光および７分割測光に対応した測光用受光素子の構成を示す概略図。
【図１１】図４に相当する図で、７分割測光をも含む。
【図１２】係数Ｋｔｈ，Ｊｔｈの決定に用いるマップを示す図。
【符号の説明】
１  測光部
２  演算部
３  制御部
４  絞り
５  シャッタ
６  ミラー
【図１】
2004325586.tif 000007
【図２】
2004325586.tif 000008
【図３】
2004325586.tif 000009
【図４】
2004325586.tif 000010
【図５】
2004325586.tif 000011
【図６】
2004325586.tif 000012
【図７】
2004325586.tif 000013
【図８】
2004325586.tif 000014
【図９】
2004325586.tif 000015
【図１０】
2004325586.tif 000016
【図１１】
2004325586.tif 000017
【図１２】
2004325586.tif 000018